(57)【特許請求の範囲】
【請求項１】
無線通信ネットワークにおける使用のために前記無線通信ネットワークで１個以上の基地局と通信できる端末において、
資源割当のための複数の副領域に分割された領域を介して１個以上の資源割当メッセージを受信するように構成された受信機を含み、
前記領域は、１個以上のユニキャスト資源割当メッセージを伝達し、
前記１個以上のユニキャスト資源割当メッセージは、前記複数の副領域の中で同じ副領域に含まれることを特徴とする端末。
【請求項２】
前記複数の副領域は、コーディングレートに基づき分類される第１副領域および第２副領域を含むことを特徴とする請求項１に記載の端末。
【請求項３】
前記領域の始めから開始される前記領域の副領域に対して反復デコーディング処理を行うように構成されるコントローラーを含み、各副領域に対して前記反復デコーディング処理は、
前記副領域の始めから開始する過程と、
次の資源割当メッセージを含む次のブロックを前記副領域で選択する過程と、
前記次の資源割当メッセージをデコーディングする過程と、
前記次の資源割当メッセージに巡回冗長検査を行い、前記巡回冗長検査が成功する場合に情報を書き込む過程と、
前記副領域の終わりに到達されて１個以上の資源割当メッセージが前記副領域で成功的にデコーディングされたことを前記コントローラーが決定する際前記反復デコーディング処理を中止させる過程と、
前記副領域の終わりに到達されてある資源割当メッセージも前記副領域で成功的にデコーディングされないことを前記コントローラーが決定する際、前記次の副領域を選択して前記反復デコーディング処理を継続する過程と、
前記領域の終わりに到達したことを前記コントローラーが決定する際、前記反復デコーディング処理を中止させる過程と
を含むことを特徴とする請求項１に記載の端末。
【請求項４】
前記領域は、複数の端末を対象とする１個以上のマルチキャストメッセージを伝達することを特徴とする請求項１に記載の端末。
【請求項５】
前記１個以上のマルチキャスト資源割当メッセージは、前記１個以上のマルチキャスト資源割当メッセージ各々が副領域の前記１個以上のユニキャスト資源割当メッセージの前に配置されるように前記副領域の始めから開始される前記副領域の連続的な部分を占有することを特徴とする請求項４に記載の端末。
【請求項６】
前記１個以上のマルチキャスト資源割当メッセージは、前記１個以上のマルチキャスト資源割当メッセージが前記領域のユニキャスト資源割当メッセージの前に配置されるように前記領域の始めから開始される連続的な部分を占有することを特徴とする請求項４に記載の端末。
【請求項７】
前記端末に送信される複数のユニキャスト資源割当メッセージは、前記副領域に連続的に配列されることを特徴とする請求項１に記載の端末。
【請求項８】
前記ユニキャスト資源割当メッセージの１個以上に対応する終了指示子ユニキャストメッセージを識別するように構成されるコントローラーをさらに含むことを特徴とする請求項７に記載の端末。
【請求項９】
無線通信ネットワークにおける使用のために前記無線通信ネットワークで１個以上の基地局と通信する方法において、
端末が、資源割当のための複数の副領域に分割された領域を介して１個以上の資源割当メッセージを受信する過程を含み、
前記領域は、１個以上のユニキャスト資源割当メッセージを伝達し、
前記１個以上のユニキャスト資源割当メッセージは、前記複数の副領域の中で同じ副領域に含まれることを特徴とする方法。
【請求項１０】
前記複数の副領域は、コーディングレートに基づき分類される第１副領域および第２副領域を含むことを特徴とする請求項９に記載の方法。
【請求項１１】
前記領域の始めから開始される前記領域の副領域に対して反復デコーディング処理を行う過程をさらに含み、
前記反復デコーディング処理を行う過程は、
各副領域に対して前記副領域の始めから開始する過程と、
次の資源割当メッセージを含む次のブロックを前記副領域で選択する過程と、
前記次の資源割当メッセージをデコーディングする過程と、
前記次の資源割当メッセージに巡回冗長検査を行い、前記巡回冗長検査が成功する場合に情報を書き込む過程と、
前記副領域の終わりに到達されて１個以上の資源割当メッセージが前記副領域で成功的にデコーディングされたことを決定する場合、前記反復デコーディング処理を中止させる過程と、
前記副領域の終わりに到達されていかなる資源割当メッセージも前記副領域で成功的にデコーディングされないことを決定する場合、前記次の副領域を選択して前記反復デコーディング処理を継続する過程と、
前記領域の終わりに到達したことを決定する場合、前記反復デコーディング処理を中止させる過程と
を含むことを特徴とする請求項９に記載の方法。
【請求項１２】
前記領域は、複数の端末を対象とする１個以上のマルチキャスト資源割当メッセージを伝達することを特徴とする請求項９に記載の方法。
【請求項１３】
前記１個以上のマルチキャスト資源割当メッセージは、前記１個以上のマルチキャスト資源割当メッセージ各々が副領域の前記１個以上のユニキャスト資源割当メッセージの前に配置されるように前記副領域の始めから開始される前記副領域の連続的な部分を占有することを特徴とする請求項１２に記載の方法。
【請求項１４】
前記１個以上のマルチキャスト資源割当メッセージは、前記１個以上のマルチキャスト資源割当メッセージが前記領域のユニキャスト資源割当メッセージの前に配置されるように前記領域の始めから開始される連続的な部分を占有することを特徴とする請求項１２に記載の方法。
【請求項１５】
前記端末に送信される複数のユニキャスト資源割当メッセージは、前記副領域に連続的に配列されることを特徴とする請求項９に記載の方法。
【請求項１６】
前記ユニキャスト資源割当メッセージの１個以上に対応する終了指示子ユニキャストメッセージを識別する過程をさらに含むことを特徴とする請求項１５に記載の方法。
【請求項１７】
無線通信ネットワークにおける使用のために前記無線通信ネットワークで１個以上の基地局と通信する基地局において、
資源割当のための複数の副領域に分割された領域を介して１個以上の資源割当メッセージを送信するように構成される送信機を含み、
前記領域は、１個以上のユニキャスト資源割当メッセージを伝達し、
前記１個以上のユニキャスト資源割当メッセージは、前記複数の副領域の中で同じ副領域に含まれることを特徴とする基地局。
【請求項１８】
前記複数の副領域は、コーディングレートに基づき分類される第１副領域および第２副領域を含むことを特徴とする請求項１７に記載の基地局。
【請求項１９】
前記端末に送信される複数のユニキャスト資源割当メッセージは、前記副領域に連続的に配列されることを特徴とする請求項１７に記載の基地局。
【請求項２０】
前記送信機は、前記ユニキャスト資源割当メッセージの１個以上に対応する終了指示子（Ｅｎｄ  Ｉｎｄｉｃａｔｏｒ：ＥＩ）ユニキャストメッセージを送信するように構成されたことを特徴とする請求項１９に記載の基地局。
【請求項２１】
前記領域は、複数の端末に送信される１個以上のマルチキャスト資源割当メッセージを伝達することを特徴とする請求項１７に記載の基地局。
【請求項２２】
前記送信機は、前記１個以上のマルチキャスト資源割当メッセージ各々が副領域の前記１個以上のユニキャスト資源割当メッセージの前に配置されるように前記１個以上のマルチキャスト資源割当メッセージを送信するように構成されることを特徴とする請求項２１に記載の基地局。
【請求項２３】
前記送信機は、前記１個以上のマルチキャスト資源割当メッセージが前記領域の前記ユニキャスト資源割当メッセージの前に配置されるように前記１個以上のマルチキャスト資源割当メッセージを送信するように構成されることを特徴とする請求項２１に記載の基地局。
【請求項２４】
無線通信ネットワークにおける使用のために前記無線通信ネットワークで１個以上の端末と通信する方法において、
基地局が、資源割当のための複数の副領域に分割された領域を介して１個以上の資源割当メッセージを送信する過程を含み、
前記領域は、１個以上のユニキャスト資源割当メッセージを伝達し、
前記１個以上のユニキャスト資源割当メッセージは、前記複数の副領域の中で同じ副領域に含まれることを特徴とする方法。
【請求項２５】
前記複数の副領域は、コーディングレートに基づき分類される第１副領域および第２副領域を含むことを特徴とする請求項２４に記載の方法。
【請求項２６】
前記１個以上の資源割当メッセージの前記送信ステップは、前記端末にだけ送信される複数のユニキャスト資源割当メッセージを前記副領域で連続的に送信する過程を含むことを特徴とする請求項２４に記載の方法。
【請求項２７】
前記複数のユニキャスト資源割当メッセージの１個以上に対応する終了指示子ユニキャストメッセージを送信する過程をさらに含むことを特徴とする請求項２６に記載の方法。
【請求項２８】
前記１個以上の資源割当メッセージの前記送信過程は、複数の端末に送信される１個以上のマルチキャスト資源割当メッセージを送信する過程を含むことを特徴とする請求項２４に記載の方法。
【請求項２９】
前記１個以上のマルチキャスト資源割当メッセージの前記送信過程は、
前記１個以上のマルチキャスト資源割当メッセージ各々が副領域の前記１個以上のユニキャスト資源割当メッセージの前に配置されるように前記１個以上のマルチキャスト資源割当メッセージを送信する過程を含むことを特徴とする請求項２８に記載の方法。
【請求項３０】
前記１個以上のマルチキャスト資源割当メッセージの前記送信過程は、
前記１個以上のマルチキャスト資源割当メッセージが前記領域の前記ユニキャスト資源割当メッセージの前に配置されるように前記１個以上のマルチキャスト資源割当メッセージを送信する過程を含むことを特徴とする請求項２８に記載の方法。
【発明の詳細な説明】
【技術分野】
【０００１】
本発明は、一般的に、無線通信に関し、特に資源割当メッセージをブラインドデコーディングするシステム及び方法に関する。
【背景技術】
【０００２】
セルラー通信システムにおいて、ある地理的領域は、セルとして言及される領域に分割される。各セルにおける端末（Ｍｏｂｉｌｅ  Ｓｔａｔｉｏｎ：ＭＳ）らは、単一基地局（Ｂａｓｅ  Ｓｔａｔｉｏｎ：ＢＳ）によってサービスされる。基地局は情報をダウンリンク（ＤＬ）として言及される無線経路を介してセル内の特定端末（または端末のグループ）に送信する一方、端末は情報をアップリンク（ＵＬ）として言及される無線経路を介して基地局に送信する。アップリンク及びダウンリンクの送信は、同じ時間の間隔であるが周波数分割二重（ｆｒｅｑｕｅｎｃｙ  ｄｉｖｉｓｉｏｎ  ｄｕｐｌｅｘｉｎｇ：ＦＤＤ）として言及される相異の周波数帯域であってもよく、または同一の周波数帯域であるが時分割二重（ＴＤＤ）として言及される非重複時間間隔の間に行われてもよい。一部のシステムにおいて、ダウンリンク及びアップリンク送信は、直交周波数分割（ＯＦＤＭ）変調に基づく。直交周波数分割変調において、無線リンク（ＤＬまたはＵＬ）の利用可能な帯域幅は、送信される情報が埋め込まれた副搬送波（ｓｕｂｃａｒｒｉｅｒ：ＳＣ）として言及される複数の小さい帯域幅の単位に分割される。
【０００３】
アップリンクの直交周波数分割変調によって、セル内の端末が基地局に送信するために非重複副搬送波組を同時に用いた後、基地局で受信される際、任意の端末からの送信は任意の他の端末からの送信と直交して提供される。例えば、端末（ｉ）は、副搬送波組｛Ｓｉ｝を用いて基地局へのアップリンク送信を行い、相異の端末によって用いられる副搬送波組が非重複される。その後、端末で受信される際、副搬送波組｛Ｓｉ｝にかかる端末（ｉ）からの送信は、任意の端末（ｊ）からの基地局への任意送信によって干渉されることなく、ここでｊ≠ｉである。
【０００４】
同様に、ダウンリンクに対して基地局が相異の端末に同時送信するために非重複副搬送波を用いると、この際、任意の端末で他の端末に予定された送信はそれに予定された送信と直交して現れる。例えば、基地局は副搬送波組｛Ｓｉ｝を用いる端末（ｉ）に送信することができ、非重複副搬送波組を用いて各種端末への送信を行う。その後、端末（ｉ）で受信される際、副搬送波組｛Ｓｉ｝にかかる基地局からの送信は、基地局から任意の端末（ｊ）への任意送信と干渉されることなく、ここでｊ≠ｉである。このような直交周波数分割変調の性質は、アップリンクを介して端末ら基地局と間で、またダウンリンクを介して基地局と端末らとの間で同時通信を許容する。
【発明の概要】
【発明が解決しようとする課題】
【０００５】
本発明の目的は、直交周波数分割の多重接続方式基盤のシステムにおいてブラインドデコーディングの複雑性を減少させるために資源割当メッセージを配列する方法を提供することにある。
【０００６】
本発明の他の目的は、直交周波数分割の多重接続方式基盤のシステムにおいてブラインドデコーディングの複雑性を減少させるために資源割当メッセージを配列するシステムを提供することにある。
【課題を解決するための手段】
【０００７】
無線ネットワークにおいて１個以上の基地局と通信することができる端末が提供される。前記端末は、複数のアンテナ及び複数のアンテナに接続されるコントローラーを含む。前記コントローラーは、資源割当領域に含まれた１個以上の資源割当メッセージを受信するように構成される。前記資源割当領域は、複数の副領域に分割される。第１副領域は資源割当メッセージを含む。前記コントローラーは資源割当メッセージをデコーディングして第１副領域の終わりに到達する際にデコーディングを中止するように構成される。
【０００８】
無線ネットワークにおいて１個以上の端末と通信することができる基地局が提供される。前記基地局は、複数のアンテナ及び複数のアンテナに接続されるコントローラーを含む。前記コントローラーは、資源割当領域に含まれた１個以上の資源割当メッセージを送信するように構成される。前記資源割当領域は、複数の副領域に分割される。第１副領域は端末が第１副領域をデコーディングして第１副領域の終わりでデコーディングを中止できるように資源割当メッセージを含む。
【０００９】
無線ネットワークにおいて１個以上の基地局と通信する方法が提供される。前記方法は端末によって資源割当領域に含まれた１個以上の資源割当メッセージを受信するステップを含む。資源割当領域は、複数の副領域に分割される。第１副領域は資源割当メッセージを含む。また、前記方法はデコーディング資源割当メッセージを第１副領域でデコーディングするステップを含む。さらに、前記方法は第１副領域の端でデコーディングを終結させるステップを含む。
【００１０】
無線ネットワークにおいて１個以上の端末と通信する方法が提供される。前記方法は基地局によって資源割当領域に含まれた１個以上の資源割当メッセージを受信するステップを含む。前記資源割当領域は、複数の副領域に分割される。第１副領域は資源割当メッセージを含む。前記資源割当メッセージは、端末が第１副領域をデコーディングして第１副領域の終わりでデコーディングを中止するように構成される。以下、本発明の詳しい説明に入る前に、この特許文書で使用されるどのような単語及び句の定義を説明することが有利であって；「含む」及び「備える」という用語のみならず、その派生語は制限なし含みを意味し；「または」という用語は含まれることに意味され及び／または；「とかかる」及び「とともにかかる」句のみならず、その派生語は含めて、内に含まれて、と相互接続されて、含めて、内に含まれて、〜にまたは〜と接続され、〜にまたは〜と接続されて、と通信可能で、と協力して、インターリブして、並列して、に近接して、〜にまたは〜と拘束されて、有して、の性質を有してなどに意味されることができ；「コントローラー」という用語は１個以上の動作を制御する任意の装置、システムまたはその部品を意味し、そのような装置はハードウェア、ファームウェアやソフトウェア、または同じことのうち２個以上の一部組合せで行なうことができる。任意の特定コントローラーとかかる機能性は、局部的であるか遠隔であるか集中されるか分配されることに注目するべきである。どのような単語及び句の定義は、この特許文書に提供されて、当業者はある面から大部分の場合でなければ、その定義が上述のように定義された単語及び句の以前使用のみならず将来の使用にも適用可能であることがわかる。
【発明の効果】
【００１１】
上述のように、複数の副領域に分割される資源割当領域で端末が第１副領域をデコーディングして第１副領域の終わりでデコーディングを中止できるように資源割当メッセージを含むことによって、ブラインドデコーディングの際に資源割当を習得するために全資源割当領域にかけて行われるデコーディングの試みを減らすことができる。また、不要なデコーディングの試みを減らすことによって、デコーディング時間を減らすことができる。
【図面の簡単な説明】
【００１２】
【図１】本発明の実施例によるデータストリームをデコーディングすることができる模範的な無線ネットワーク１００を例示する図である。
【図２】本発明の実施例による代表的な基地局をさらに詳しく例示する図である。
【図３】本発明の実施例による代表的な無線端末を例示する図である。
【図４】この明細書の実施例による端末によるブラインドデコーディング処理を例示する図である。
【図５】この明細書の実施例による端末によるブラインドデコーディング処理を例示する図である。
【図６】この明細書の実施例による端末によるブラインドデコーディング処理を例示する図である。
【図７】この明細書の実施例による端末によるブラインドデコーディング処理を例示する図である。
【図８】この明細書の実施例による端末によるブラインドデコーディング処理を例示する図である。
【発明を実施するための形態】
【００１３】
以下で説明する図１〜図８及びこの特許文献においてこの明細書の原理を説明することに使用される各種実施形態は、例示のみであって、この明細書の範囲を少しも制限するものとして解析されてはならない。当業者はこの明細書の原理がある適切に配列された無線通信システムで行われることが理解できるはずである。
【００１４】
次の説明とかかってＬＴＥ用語「ノードＢ」は、以下で使用される「基地局」の異なる用語である。また、用語「セル」は、「基地局」または「基地局」に属する「セクター」を示すことができる論理的な概念である。この明細書において、「セル」及び「基地局」は、無線システムにおいて実際送信ユニット（「セクター」または「基地局」などであってもよい）を指示するように交換可能に使用される。また、ＬＴＥ用語「ユーザ装備」または「ＵＥ」は、以下に使用される「端末」の異なる用語である。以下の全図において、一部の選択的な特徴は明示的に表示される一方、一部は明瞭であるために省略される。
【００１５】
図１は、本発明の実施例によるデータストリームをデコーディングすることができる代表的な無線ネットワーク１００を例示する。例示された実施形態において、無線ネットワーク１００は基地局（ＢＳ）１０１、基地局（ＢＳ）１０２、及び基地局（ＢＳ）１０３を含む。基地局１０１は、基地局１０２及び基地局１０３と通信する。また、基地局１０１はインターネットなどのインターネットプロトコル（ＩＰ）ネットワーク１３０、独占的インターネットプロトコルネットワーク、または他のデータネットワークと通信する。
【００１６】
基地局１０２は、基地局１０２のカバレッジ領域１２０内の第１複数の加入局に対して基地局１０１を介してネットワーク１３０に無線広帯域接続を提供する。第１複数の端末らは、端末（ＳＳ）１１１、端末（ＳＳ）１１２、端末（ＳＳ）１１３、端末（ＳＳ）１１４、端末（ＳＳ）１１５及び端末（ＳＳ）１１６を含む。端末（ＳＳ）は移動電話、移動ＰＤＡ及び任意端末（ＭＳ）などの任意の無線通信装置であってもよいが、これらに制限されることはない。代表的な実施形態において、端末１１１は小企業（Ｂ）に配置されてもよく、端末１１２は企業（Ｅ）に配置されてもよく、端末１１３はワイファイ（ＷｉＦｉ）ホットスポット（ｈｏｔｓｐｏｔ：ＨＳ）に配置されてもよく、端末１１４は住宅に配置されてもよく、端末１１５は移動（Ｍ）装置であってもよく、端末１１６は移動（Ｍ）装置であってもよい。
【００１７】
基地局１０３は基地局１０３のカバレッジ領域１２５内の第２複数の端末に対して基地局１０１を介してネットワーク１３０に無線広帯域接続を提供する。第２複数の端末は、端末１１５及び端末１１６を含む。代替実施形態において、基地局１０２及び１０３は基地局１０１を介して間接的というより光ファイバ、デジタル加入者ライン（ＤＳＬ）、ケーブルまたはＴ１／Ｅ１ラインなどの有線広帯域接続によってインターネットまたは他のコントローラーユニットに直接接続されることができる。
【００１８】
他の実施形態において、基地局１０１はより少ない基地局と通信することができる。さらに、６個の端末だけが図１に示されていても、無線ネットワーク１００は無線広帯域接続を６個より多い端末に提供できることは自明である。端末１１５及び端末１１６は、カバリッジ領域１２０及びカバリッジ領域１２５の境界にあることを注目するべきである。端末１１５及び端末１１６は、基地局１０２及び基地局１０３と各々通信して相互干渉されているセル‐境界装置とも言える。例えば、基地局１０２と端末１１６との間の通信は、基地局１０３と端末１１５との間の通信と干渉されることができる。追加的に、基地局１０３と端末１１５との間の通信は、基地局１０２と端末１１６との間の通信と干渉されることができる。
【００１９】
代表的な実施形態において、基地局１０１〜１０３は相互通信することができ、例えば、ＩＥＥＥ  ８０２．１６ｅ標準などのＩＥＥＥ  ８０２．１６  Ｗ−ＭＡＮ（Ｗｉｒｅｌｅｓｓ  Ｍｅｔｒｏｐｏｌｉｔａｎ  Ａｒｅａ  Ｎｅｔｗｏｒｋ）標準を使用する端末１１１〜１１６と通信することができる。しかし、他の実施形態において、相異の無線プロトコルは例えば、ＨＩＰＥＲＭＡＮ  Ｗ−ＭＡＮ標準などが使用されてもよい。基地局１０１は、無線バックホールに使用される技術に従って基地局１０２及び基地局１０３と直接的な可視線または非可視線を介して通信することができる。基地局１０２及び基地局１０３は、ＯＦＤＭ／ＯＦＤＭＡ技術を使用して端末１１１〜１１６と非可視線を介して各々通信することができる。
【００２０】
基地局１０２は、Ｔ１レベルサービスを企業とかかる端末１１２に、そして部分Ｔ１レベルサービスを小企業とかかる端末１１１に提供することができる。基地局１０２は、空港、カフェ、ホテル、または大学内に配置できるワイファイホットスポットとかかる端末１１３に無線バックホールを提供することができる。基地局１０２はデジタル加入者ライン（ｄｉｇｉｔａｌ  ｓｕｂｓｃｒｉｂｅｒ  ｌｉｎｅ：ＤＳＬ）レベルサービスを端末１１４，１１５及び１１６に提供することができる。
【００２１】
端末１１１〜１１６は、音声、データ、動画、テレビ会議、及び／または他の広帯域サービスに接続するためにネットワーク１３０に広帯域接続を使用することができる。代表的な実施形態において、端末１１１〜１１６のうち１個以上は、ＷｉＦｉ  ＷＬＡＮのアクセスポイント（ＡＰ）とかかることができる。端末１１６は無線可能なラップトップ型コンピュータ、個人情報端末機、ノート型コンピュータ、携帯装置、または他の無線可能な装置を含む複数の移動装置のうち何れか一つであってもよい。端末１１４は例えば、無線可能なＰＣ、ラップトップ型コンピュータ、ゲートウエー、または他の装置であってもよい。
【００２２】
点線は例示及び説明だけのためにほぼ円形に示されたカバリッジ領域１２０及び１２５の概略的な範囲を示す。基地局とかかるカバリッジ領域、例えばカバリッジ領域１２０及び１２５は基地局の構成及び自然的なそして人工障害物とかかる無線環境の変動に応じる不規則的な形状を含む異なる形状を含められえることは明らかに自明な事実である。
【００２３】
また、基地局とかかるカバリッジ領域は、時間に従って一定ではなく、基地局及び／または端末の送信電力レベル、天気条件、及び他の要素を変形することに応じて動的（拡大または収縮または形状変形）であることができる。例えば、基地局のカバリッジ領域、例えば基地局１０２及び１０３のカバリッジ領域１２０及び１２５の半径は、基地局から略５０ｋｍに対して２ｋｍより小さい範囲に延長されることができる。
【００２４】
当業者にとって公知のように、基地局１０１、１０２または１０３などの基地局は複数のセクターをカバリッジ領域内で支援するために指向性アンテナを使用することができる。図１で基地局１０２及び１０３はほぼカバリッジ領域１２０及び１２５の中心に各々示されている。他の実施形態において、指向性アンテナの使用はカバリッジ領域の境界近辺に、例えば円錐形状または梨型（ｐｅａｒ−ｓｈａｐｅｄ）カバリッジ領域のポイントに基地局を配置させることができる。
【００２５】
基地局１０１からネットワーク１３０への接続は、中央局または他の運営会社相互接続位置に配置されるサーバへの広帯域接続、例えば光ファイバラインを含めることができる。サーバはインターネットプロトコル基盤の通信のためのインターネットゲートウエーにそして音声基盤の通信のための公衆電話網に通信を提供することができる。ＶｏＩＰ型の音声基盤の通信の場合に、トラフィックは公衆電話網ゲートウエーの代わりにインターネットゲートウエーに直接送信されることができる。サーバ、インターネットゲートウエー及び公衆電話網ゲートウエーは、図１に図示されていない。他の実施形態において、ネットワーク１３０への接続は相異のネットワークノード及び装備によって提供されることができる。
【００２６】
この明細書の実施形態によると、１個以上の基地局１０１〜１０３及び／または１個以上の端末１１１〜１１６はＭＭＳＥ−ＳＩＣアルゴリズムを使用する複数の送信アンテナから組み合わせたデータストリームとして受信される複数のデータストリームをデコーディングするように動作可能な受信機を含む。以下、より詳しく記載されたように、受信機はデータストリームの強度にかかる特徴に基づいて計算された各データストリームのデコーディング予測メートル法（ｄｅｃｏｄｉｎｇ  ｐｒｅｄｉｃｔｉｏｎ  ｍｅｔｒｉｃ）に基づいてデータストリームのデコーディング順を決定するために動作可能である。よって、一般的に、受信機は最も強いデータストリームに次に最も強いデータストリームなどをデコーディングすることができる。結果的に、受信機のデコーディング性能は、ランダムまたは所定順にストリームをデコーディングする受信機に比べて可能である全デコーディング順を検索して最適順を検索する受信機を複雑にする恐れをなくして改善される。
【００２７】
図２は、本発明の実施例による代表的な基地局をさらに詳しく例示する。図２は、例示された図示の基地局１０２の実施形態は例示だけのためのものである。基地局１０２の他の実施形態は本発明の範囲から外すことなく使用されることができる。
【００２８】
基地局１０２は、基地局コントローラー（ｂａｓｅ  ｓｔａｔｉｏｎ  ｃｏｎｔｒｏｌｌｅｒ：ＢＳＣ）２１０及びベース送受信機サブシステム（ｂａｓｅ  ｔｒａｎｓｃｅｉｖｅｒ  ｓｕｂｓｙｓｔｅｍ：ＢＴＳ）２２０を含む。基地局コントローラーは、無線通信ネットワーク内の特定セルに対してベース送受信機サブシステムを含む無線通信資源を管理する装置である。ベース送受信機サブシステムは、無線周波数送受信機、アンテナ、及び各セルのサイトに配置される他の電気装備を含む。この装備はエアコンユニット、過熱ユニット、電気供給機、電話線インタフェース及び無線周波数送信機と無線周波数受信機を含むことができる。本発明の動作の説明を簡単で明瞭にするために、セル１２１、１２２及び１２３各々においてのベース送受信機サブシステム及び各ベース送受信機サブシステムとかかる基地局コントローラーは、各々基地局１０１、基地局１０２及び基地局１０３によって集合的に現れる。
【００２９】
基地局コントローラー２１０は、ベース送受信機サブシステム２２０を含むセルサイト１２１で資源を管理する。ベース送受信機サブシステム２２０は、ベース送受信機サブシステムコントローラー２２５、チャンネルコントローラー２３５、送受信機インタフェース（ＩＦ）２４５、無線周波数送受信機ユニット２５０、及びアンテナアレイ２５５を含む。チャンネルコントローラー２３５は、代表的なチャンネル要素２４０を含む複数のチャンネル要素を備える。また、ベース送受信機サブシステム２２０は、メモリ２６０を含む。ベース送受信機サブシステム２２０内に含まれる実施形態のメモリ２６０は例示だけのためのものである。メモリ２６０は本発明の範囲から外すことなく基地局１０２の他の部分に配置されることができる。
【００３０】
ベース送受信機サブシステムコントローラー２２５は、基地局コントローラー２１０と通信してベース送受信機サブシステム２２０の全動作を制御する運営プログラムを行なうことができるメモリ及び処理回路を含む。正常状態下でベース送受信機サブシステムコントローラー２２５は、両方向通信を順方向チャンネル及び逆方向チャンネルで行うチャンネル要素２４０を含む複数のチャンネル要素を含むチャンネルコントローラー２３５の動作を指示する。順方向チャンネルは、信号が基地局から端末へ送信されるチャンネルを称する（ダウンリンク通信とも称する）。逆方向チャンネルは、信号が端末から基地局へ送信されるチャンネルを称する（アップリンク通信とも称する）。本発明の有利な実施形態において、チャンネル要素はＯＦＤＭＡプロトコルに従ってセル１２０内の端末と通信する。送受信機ＩＦ２４５は、チャンネルコントローラー２４０と無線周波数送受信機ユニット２５０との間で両方向チャンネル信号を送信する。単一装置としてのＲＦ送受信機ユニット２５０の実施形態は、例示だけのためのものである。無線周波数送受信機ユニット２５０は、この明細書の範囲を外すことなく送信機及び受信機装置を分離することができる。
【００３１】
アンテナアレイ２５５は無線周波数送受信機ユニット２５０から受信された順方向チャンネル信号を基地局１０２のカバリッジ領域内の端末に送信する。また、アンテナアレイ２５５は基地局１０２のカバリッジ領域内の端末に受信された逆方向チャンネル信号を送受信機２５０に送信する。本発明の一部実施形態において、アンテナアレイ２５５は、３個のセクターアンテナなどのマルチセクターアンテナであり、各アンテナセクターはカバリッジ領域の１２０Ｅアークにおいて送受信を担当する。また、無線周波数送受信機２５０は、送受信動作の間にアンテナアレイ２５５で相異のアンテナを選択する選択ユニットを含むことができる。
【００３２】
本発明の一部実施形態によると、ベース送受信機サブシステムコントローラー２２５は、運営システム（ＯＳ）などのプログラム及びメモリ２６０に格納される資源割当の処理を行うために動作可能である。メモリ２６０は、任意のコンピュータ読取り可能な媒体であってもよく、例えば、メモリ２６０はマイクロプロセッサまたは他のコンピュータかかるまたは方法によって使用されるコンピュータプログラム、ソフトウェア、ファームウェア、またはデータを含む、格納、通信、電波、または送信できる任意の電子、磁気、電磁気、光学、電子‐光学、電子‐機械、及び／または他の物理装置であってもよい。メモリ２６０はＲＡＭを含めてメモリ２６０の他の部分は、ＲＯＭとして機能するフラッシュメモリを含む。
【００３３】
基地局コントローラー２１０は、基地局１０２と基地局１０１と基地局１０３との間の通信を維持するために動作可能である。基地局１０２は、無線接続１３１を介して基地局１０１及び基地局１０３と通信する。一部実施形態において、無線接続１３１は有線接続であってもよい。
【００３４】
図３は、本発明の実施例による代表的な無線端末を例示する。図３は、例示された無線端末１１６の実施形態は例示だけのためのものである。無線端末１１６の他の実施形態は、本発明の範囲から外すことなく使用されることができる。
【００３５】
無線端末１１６は、アンテナ３０５、無線周波数（ＲＦ）送受信機３１０、送信（ＴＸ）処理回路３１５、マイクロフォン３２０、及び受信（ＲＸ）処理回路３２５を含む。また、端末１１６はスピーカー３３０、メインプロセッサ３４０、入／出力（Ｉ／Ｏ）インタフェース（ＩＦ）３４５、キーパッド３５０、ディスプレー３５５、及びメモリ３６０を含む。メモリ３６０は、基本運営システム（ＯＳ）プログラム３６１及び資源割当をデコーディングして解析するためのアプリケーション及び／または命令（ｉｎｓｔｒｕｃｔｉｏｎ）３６２らをさらに含む。
【００３６】
無線周波数（ＲＦ）送受信機３１０は、無線ネットワーク１００の基地局によって送信される着信無線周波数信号をアンテナ３０５から受信する。無線周波数（ＲＦ）送受信機３１０は、着信周波数信号をダウン変換して中間周波数（ＩＦ）またはベースバンド信号を生成する。ＩＦまたはベースバンド信号は、ベースバンドまたはＩＦ信号をフィルタリング、デコーディング及び／またはデジタル化することで処理されるベースバンド信号を生成する受信機（ＲＸ）処理回路３２５に送信される。受信機（ＲＸ）処理回路３２５は、処理されたベースバンド信号をスピーカー３３０（すなわち、音声データ）にまたはそれ以上の処理（例えば、ウェブ閲覧）のためのメインプロセッサ３４０に送信する。
【００３７】
送信機（ＴＸ）処理回路３１５は、アナログまたはデジタル音声データをマイクロフォン３２０からまたは他の発信ベースバンドデータ（例えば、ウェブデータ、電子メール、対話式のビデオゲームデータ）をメインプロセッサ３４０から受信する。送信機（ＴＸ）処理回路３１５は、発信ベースバンドデータを符号化、多重化、及び／またはデジタル化して処理されたベースバンドまたはＩＦ信号を生成する。無線周波数（ＲＦ）送受信機３１０は、発信処理されたベースバンドまたはＩＦ信号を送信機（ＴＸ）処理回路３１５から受信する。無線周波数（ＲＦ）送受信機３１０は、ベースバンドまたはＩＦ信号をアンテナ３０５を介して送信される無線周波数（ＲＦ）信号にアップ変換する。
【００３８】
この明細書の一部実施形態において、メインプロセッサ３４０はマイクロプロセッサまたはマイクロコントローラーである。メモリ３６０は、メインプロセッサ３４０に接続される。この明細書の一部実施形態によると、メモリ３６０の一部はＲＡＭを含めてメモリ３６０の他の部分は、ＲＯＭとして機能するフラッシュメモリを含む。
【００３９】
メインプロセッサ３４０は、無線端末１１６の全動作を制御するためにメモリ３６０に格納された基本運営システム（ＯＳ）プログラム３６１を実行させる。一つの動作において、メインプロセッサ３４０は公知の原理に従って無線周波数（ＲＦ）送受信機３１０、受信機（ＲＸ）処理回路３２５、及び送信機（ＴＸ）処理回路３１５によって順方向チャンネル信号の受信及び逆方向チャンネル信号の送信を制御する。
【００４０】
メインプロセッサ３４０は、メモリ３６０に常住する他の処理及びプログラムを実行することができる。メインプロセッサ３４０は、実行処理によって要求されるように、メモリ３６０に若しくはメモリ３６０からデータを移動させることができる。一部実施形態において、メインプロセッサ３４０は、資源割当をデコーディング及び解析するための処理３６２などのプログラムを実行するように構成される。メインプロセッサ３４０は、運営システムプログラム３６１に基づいてまたは基地局１０２から受信される信号に応答して資源割当をデコーディング及び解析するための処理３６２を実行することができる。また、メインプロセッサ３４０は、入／出力インタフェース３４５に接続される。入／出力インタフェース３４５は、ラップトップ型コンピュータ及び携帯コンピュータなどの他の装置に接続するために接続能力を有する端末１１６を提供する。入／出力インタフェース３４５は、この付属品らとメインコントローラー３４０との間の通信経路である。
【００４１】
また、メインプロセッサ３４０は、キーパッド３５０及びディスプレーユニット３５５に接続される。端末１１６の運営者は、キーパッド３５０を用いてデータを端末１１６に入力する。ディスプレー３５５は、テキスト及び／または少なくとも制限グラフィックをウェブサイトから提供することができる液晶ディスプレーであってもよい。代替実施形態は、他の形のディプレーを使用する。
【００４２】
ＯＦＤＭ基盤のシステムにおいて、送信（基地局１０２から端末１１１〜１１６）に、そして端末１１１〜１１６から基地局１０２に）が発生する基本時間単位はＯＦＤＭシンボルと称する。アップリンクに対して、端末１１１〜１１６による送信は、非重複副搬送波組が使用されており、基地局１０２への送信に使用されるその副搬送波組に従って各端末が基地局１０２によって指示されることを保障するように調整される。同様に、ダウンリンクに対して基地局１０２は端末１１１〜１１６に送信するために非重複副搬送波組を用い、端末が予定された送信を受信するように聞き取るその副搬送波組に従って基地局１０２によって指示される。
【００４３】
アップリンク送信に使用される副搬送波組、またはダウンリンク送信を受信する副搬送波組に対する端末への命令は、資源割当メッセージと称する。資源割当メッセージは、資源割当領域と称する副搬送波組に従って基地局１０２によって送信される。例えば、特定端末または端末グループに各々予定される数個の資源割当メッセージは、資源割当領域の一部である副搬送波に記憶される。
【００４４】
各々の端末１１１〜１１６は資源割当領域を認知し、各々の端末１１１〜１１６は資源割当メッセージを資源割当領域で受信、デコーディング及び解析して端末がアップリンク送信に使用される副搬送波組及び／または端末がダウンリンク送信を受信する副搬送波組を記憶する。
【００４５】
ダウンリンクに対して基地局１０２乃至端末１１１〜１１６によって、そしてアップリンクに対しては端末１１１〜１１６乃至基地局１０２によって送信に利用可能な副搬送波組は、２個の広いカテゴリ：分散された資源及び連続的資源に分類される。資源の論理的インデックスは、割当において言及され、物理的資源の解析のための規則とともに基地局または端末が割当を言及する物理的資源を決定するようにするインデックスである。
【００４６】
ＩＥＥＥ  Ｓｔｄ．８０２．１６ｅ−２００５，  ＩＥＥＥ  Ｓｔａｎｄａｒｄ  ｆｏｒ  Ｌｏｃａｌ  ａｎｄ  ｍｅｔｒｏｐｏｌｉｔａｎ  ａｒｅａ  ｎｅｔｗｏｒｋｓ，  −  Ｐａｒｔ  １６：Ａｉｒ  Ｉｎｔｅｒｆａｃｅ  ｆｏｒ  ｆｉｘｅｄ  ａｎｄ  ｍｏｂｉｌｅ  ｂｒｏａｄｂａｎｄ  ｗｉｒｅｌｅｓｓ  ａｃｃｅｓｓ  ｓｙｓｔｅｍｓ、またＰｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ，  ａｎｄ  ＩＥＥＥ  Ｓｔｄ．８０２．１６−２００４／Ｃｏｒ１−２００５，  Ｃｏｒｒｉｇｅｎｄｕｍ  １，  Ｄｅｃｅｍｂｅｒ  ２００５に記載されたＩＥＥＥ  ８０２．１６ｅシステムは、上述した説明を使用するＯＦＤＭ基盤のシステムの例であり、その内容は全体がこの参考献として含まれている。ＩＥＥＥ  ８０２．１６ｅシステムにおいて、資源割当メッセージはＭＡＰメッセージとして言及される資源割当領域は、ＭＡＰ領域として言及される。
【００４７】
資源割当領域における資源割当メッセージのデザイン及び構造及び資源割当メッセージをデコーディングして解析する端末１１６などの端末の手順に対して通常以下のような２個の公知の原理がここで列挙される。
【００４８】
「結合符号化（ｊｏｉｎｔ  ｅｎｃｏｄｉｎｇ）」原理において、数個の端末に予定される全資源割当メッセージは、資源割当領域にともに符号化、変調及び送信され、全端末に公知な所定のコーディング及び変調スキームが使用される。各々の個別資源割当メッセージは、資源を割当するように資源割当が予定される端末（または端末グループ）にかかる情報を含む。各端末は、ともに符号化される資源割当をデコーディングして各端末に対する資源割当を決定する。例えば、端末１１６は、ともに符号化された資源割当メッセージ組をデコーディングし、全資源割当メッセージに接続し、端末１１６に予定されることを識別して端末１１６が送信の及び／または受信されることに予定される資源を識別する。また、端末１１５は、ともに符号化された資源割当メッセージ組をデコーディングし、全資源割当メッセージに接続し、端末１１５に予定されることを識別して端末１１５が送信及び／または受信されることに予定される資源を識別する。この原理は、ともに符号化される資源割当メッセージ組がセル内の全端末に到達する（すなわち、デコーディング可能な）ことが保障されなければならなく、デコーディングを端末で簡単に行うが、資源は浪費される。例えば、ＩＥＥＥ  ８０２．１６ｅシステムは、この原理を使用する。
【００４９】
「端末特定符号化（ＳＳ−ｓｐｅｃｉｆｉｃｅ  ｅｎｃｏｄｉｎｇ）、ブラインドデコーディング（ｂｌｉｎｄ  ｄｅｃｏｄｉｎｇ）」原理において、個別の資源割当メッセージ各々が単独に符号化、スクランブル及び変調された後、資源割当領域内の副搬送波に埋め込まれる。資源割当メッセージは、資源割当メッセージのためのターゲット端末（すなわち、メッセージが資源割当を明示するもの）だけが資源割当メッセージをデコーディングし、資源割当を正確にデコーディングしたことを実現した後、資源割当を解析する方式でスクランブルされる。
【００５０】
例えば、端末１１６を意味する資源割当メッセージを考慮する。その続きに端末１１６だけが資源割当メッセージ（あるエラー確率を有する）をデコーディングすることができて資源割当メッセージが正確にデコーディングされたことを認知した後、端末１１６は資源割当メッセージにおいてデコーディングされたビットの解析をするように続くことができる。端末１１５などの他の端末は、資源割当メッセージをデコーディングしようと試みる際にそれを行わず、資源割当メッセージをデコーディングできないと認知し、その結果、端末１１５はメッセージが端末１１５を意味しないことを認知するはずである。この場合において、メッセージ（端末１１５を意味しない）が端末１１５を意味したと端末１１５が間違って結論を出す確率を下げるように設計することである。資源割当メッセージが端末を意味するものであるか否かの有無、及びその資源割当メッセージ上のデコーディング試みが成功であるか否かの有無を発見できる公知の方法は、以下のように端末特定ビットシーケンスによってスクランブルされる巡回冗長検査（Ｃｙｃｌｉｃ  Ｒｅｄｕｎｄａｎｃｙ  Ｃｈｅｃｋ：ＣＲＣ）の使用である。この方法において、第１ステップは、資源割当メッセージで情報ビットの公知の線形組合せの値を計算することである。この線形組合せは、巡回冗長検査という。また、巡回冗長検査値は、意図した端末固有の識別ビットシーケンスとＸＯＲされ、ここでＸＯＲは２進排他的和をとることを言う。これは、スクランブルされた巡回冗長検査ビットシーケンスを算出する。その後に、このようなスクランブルされた巡回冗長検査は資源割当メッセージに完璧なペイロードを形成するように情報の終わりに添付される。その続きに、デコーディング試みの後の端末はそれがデコーディングされると考えられる資源割当メッセージ情報上に同じ線形組合せを計算した後、基地局によって情報ビットの終わりに添付されるスクランブルされた巡回冗長検査と計算された巡回冗長検査をＸＯＲする。ＸＯＲ演算の特性のせいで、資源割当メッセージが正確にデコーディングされると、すなわち端末によって計算された情報ビット上の線形組合せが正確であれば、ＸＯＲ演算はスクランブルされた巡回冗長検査を構成することにおいて基地局によって使用される識別ビットシーケンスを簡単に算出する。このような識別シーケンスが端末の識別シーケンスと一致すると、資源割当メッセージは、正確にデコーディングされてそれを意味することがわかる。「ＣＲＣチェック」または「巡回冗長検査」という用語が以下の説明で使用されることがあり、請求項は制限割当メッセージがそれを意味するのか否かの有無を検出するのみならずそれが成功的にデコーディングされたかの成功有無を検出するために端末によって使用される前記方法を言う。「巡回冗長検査成功」という用語は、資源割当メッセージが意味することのみならず、成功的にデコーディングされたことも端末が成功的に検出することを示しうる。
【００５１】
資源割当メッセージ情報のサイズ及び構造（使用される変調及びコーディング）の設定が定義されて全端末に報知される。その後に、各端末は資源割当メッセージ構造（サイズ、変調、コーディング）各々を繰り返して試みる資源割当領域で個別の資源割当メッセージを検出するように試みる。この処理は、よく端末が資源割当領域で個別資源割当メッセージの数、または特定構造（サイズ、変調、コーディング）の知識なし（または非常に制限された知識で）デコーディングを試みるという事実を示す「ブラインド」にかかるブラインドデコーディングを言う。この原理を用いて、資源割当メッセージは、基地局とその端末の間で無線リンク品質を考慮して特定端末による受付のための最適化変調及びコーディングに送信されてもよい。よって、この原理は、「結合符号化」原理より資源割当領域をさらに効率よく使用するようにする。しかし、ブラインドデコーディング動作の必要条件のせいで端末上に高い複合性を付加する。その内容がここに参照文献として含まれるＴｈｅ  ＬＴＥ  Ｓｙｓｔｅｍ  ３ＧＰＰ  ＴＳ  ３６．３００，  “３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｏｖｅｒａｌｌ  Ｄｅｓｃｒｉｐｔｉｏｎ；  Ｓｔａｇｅ  ２  （Ｒｅｌｅａｓｅ  ８）”，  Ｖ８．７．０，  Ｄｅｃｅｍｂｅｒ  ２００８、のみならず、その内容がここに参照文献として含まれるｔｈｅ  ｐｒｏｐｏｓｅｄ  ＩＥＥＥ  ８０２．１６ｍ  ｓｙｓｔｅｍ  ８０２．１６ｍ−０９／００１０ｒ２，  Ｓｅｃｔｉｏｎ  １５．３．６．２．２．２，    “Ｐａｒｔ  １６−  Ａｉｒ  Ｉｎｔｅｒｆａｃｅ  ｆｉｒ  Ｆｉｘｅｄ  ａｎｄ  Ｍｏｂｉｌｅ  Ｂｒｏａｄｂａｎｄ  Ｗｉｒｅｌｅｓｓ  Ａｃｃｅｓｓ  Ｓｙｓｔｅｍｓ；  Ａｄｖａｎｃｅｄ  Ａｉｒ  Ｉｎｔｅｒｆａｃｅ  （ｗｏｒｋｉｎｇ  ｄｏｃｕｍｅｎｔ）”，  Ｊｕｎｅ  ６，  ２００９  （「ＩＥＥＥ  ８０２．１６ｍ  補正作業文書」に対するリンクに繋ぐＨｈｔｔｐ：／／ｗｉｒｅｌｅｓｓｍａｎ．ｏｒｇ／ｔｇｍ／から得られる）がこのような原理を使用するシステムの例である。
【００５２】
図４は、端末によるブラインドデコーディングのために可能な処理を示す。特定の場合に、端末１１６でブラインドデコーディング処理４００は、各資源割当メッセージが同サイズ（すなわち、同数の情報＋巡回冗長検査ビット）を有し、同変調及びコーディング方式（Ｍｏｄｕｌａｔｉｏｎ  ａｎｄ  Ｃｏｄｉｎｇ  Ｓｃｈｅｍｅ：ＭＳＣ）によって処理され、その結果資源割当領域で同サイズを占有する。
【００５３】
ブロック４０５で端末１１６は、資源割当領域の始めからブラインドデコーディング試みを開始する。資源割当メッセージ（例えば、情報＋巡回冗長検査）サイズを認知するステップは「Ｓ」で、変調及びコーディング方式は「Ｍ」であり、端末１１６は資源割当領域で結果の占有サイズはＳ＿Ｍであることがわかる。それで、ブロック４１０で端末１１６は、資源割当領域において第１のＳ＿Ｍブロックを選択してサイズ、変調及びコーディングを使用してデコーディングを試みる。ブロック４１５で端末１１６は、巡回冗長検査を確認することでデコーディングが成功であるか否かを決定する。ＣＲＣチェックが成功的でなければ、端末１１６はブロック４１０に戻る。ＣＲＣチェックが成功的であれば端末１１６はブロック４２０でデコーディングされた資源割当メッセージで情報を書き込む。その後、端末１１６はブロック４２５で資源割当領域の終わりが到達されたか否かを決定する。資源割当の終わりが到達されなければ、端末１１６はブロック４１０に戻して資源割当で次のブロックを選択し、他のデコーディング動作を試みる。資源割当の終わりに到達されると、処理はブロック４３０で終了する。
【００５４】
図５は、副領域への資源割当領域の分配に端末によるブラインドデコーディング処理を示す。ブラインドデコーディング処理５００は、図示のためにだけ図５に示される。
【００５５】
基地局１０２は、資源割当メッセージのサイズ及び資源割当メッセージで初期情報を符号化するために使用される変調及びコーディング方式に従って資源割当領域を分割する。よって、資源割当メッセージの１組は、資源割当領域の１部分に連続して配列される。資源割当メッセージの各組は、特定サイズ、すなわち特定公知数の情報及び巡回冗長検査ビットで、特定及び同変調及びコーディング方式によって処理される。資源割当メッセージの各組には、公知の可能な異なるサイズに設定される各資源割当メッセージを有する資源割当メッセージらの連続的配列がついてきて、可能な他の変調及びコーディング方式などによって処理される。各領域で資源割当メッセージの組合せにかかる情報（すなわち、情報＋各メッセージの巡回冗長検査サイズ、及びそれを処理することに使用される変調及びコーディング方式）、各領域の開始位置、及び各領域での資源割当メッセージの数は、端末１１１乃至端末１１６に報知する。報じられた（情報＋巡回冗長検査）サイズ及び報じられた変調及びコーディング方式を有する資源割当メッセージは、資源割当領域で報じられたサイズを定義すると注目されることがある。その次に、ある領域でブラインドデコーディング動作を行う際に端末１１６は、その領域で全資源割当メッセージは特定サイズで、特定変調及びコーディング方式によって処理されることがわかり、それゆえに複数の資源割当サイズまたは変調及びコーディング方式のためのテストを不要にする。これは、ブラインドコーディングの複合性を減少させる。同サイズを有して同変調及びコーディング方式によって処理される資源割当メッセージを構成する資源割当領域内の領域は、ここで資源割当副領域と称する。
【００５６】
端末１１６は資源割当副領域の数「Ｒ」；各副領域「ｒ」に対して１≦ｒ≦Ｒ；各資源割り当てメッセージによって占有される副領域でのサイズはＳ＿ｒ；副領域で各メッセージを処理するために用いられる変調及びコーディング方式はＭ＿ｒ；及び副領域でメッセージの数はＮ＿ｒであることを報知するように構成される。
【００５７】
ブロック５０５で、端末１１６は資源割当領域の始めであるｒ＝１と同様の副領域を選択する。また、端末１１６は０と同等な副領域カウンタで多数の試みられたデコーディングを設定する（例えば、Ｎ＿ｄｅｃｏｄｅ＝０）。ブロック５１０で端末１１６は、副領域カウンタで試みられた数を「１」ずつ増加してＮ＿ｄｅｃｏｄｅ＝Ｎ＿ｄｅｃｏｄｅ＋１になる。端末１１６はブロック５１５で副領域でのメッセージの数よりＮ＿ｄｅｃｏｄｅが大きいか否か（すなわち、Ｎ＿ｄｅｃｏｄｅ＞Ｎ＿ｒ？）を決定する。
【００５８】
Ｎ＿ｄｅｃｏｄｅ≦Ｎ＿ｒであれば、ブロック５２０で  端末１１６はサイズＳ＿ｒの次のブロックを選択してＭＣＳ  Ｍ＿ｒを使用してデコーディング動作を試みる。端末１１６はブロック５２５でＣＲＣチェックを行なうことによってデコーディング動作が成功的であるか否かを決定する。ＣＲＣチェックが成功的でなければ、端末１１６はブロック５１０に戻り、副領域カウンタで試みられたデコーディングの数を「１」ずつ増加してＮ＿ｄｅｃｏｄｅ＝Ｎ＿ｄｅｃｏｄｅ＋１になる。巡回冗長検査が成功的であれば、端末１１６はブロック５３０で複合される資源割当メッセージに情報を書き込む。その後、端末１１６はブロック５１０に戻って副領域で試みられたデコーディングの数を１ずつ増加してＮ＿ｄｅｃｏｄｅ＝Ｎ＿ｄｅｃｏｄｅ＋１になる。
【００５９】
Ｎ＿ｄｅｃｏｄｅ＞Ｎ＿ｒであれば、ブロック５３５で端末１１６はｒ＝ｒ＋１であるように副領域を選択する。その次に、端末１１６は資源割当の終わりがブロック５４０に到達したか否かを決定する。端末１１６はｒ＞Ｒであれば、資源割当領域の終わりに到達したと決定する。資源割当領域の終わりが到達しなければ、すなわちｒ≦Ｒであれば、端末１１６はブロック５４５で、副領域カウンタで試みられたデコーディングの数をリセットする。すなわち、端末１１６はＮ＿ｄｅｃｏｄｅ＝０を設定する。資源割当領域の終わりが到達すると、すなわちｒ＞Ｒであれば端末１１６はブロック５５０でブラインドデコーディング動作を終了する。
【００６０】
一部実施形態において、基地局１０２は資源割当領域から端末１１６へ複数の個別の資源割当メッセージを送信する。これが起こる状況の２つの例は以下と同様である。
【００６１】
第１例で、基地局１０２は基地局１０２からの送信のためにダウンリンクを介して副搬送波が聞き取れる端末１１６に有効なダウンリンク資源割当のみならずアップリンクを介して副搬送波の組が送信される端末１１６に有効なアップリンク資源割当を行う。その後に、そういう２個の割当は２個の分離された資源割当メッセージで行うことができる。これは２個の他の資源割当メッセージが２個の分離された個別の資源割当メッセージに伝える例である。
【００６２】
第２例で基地局１０２は副搬送波が基地局１０２送信を受信する端末１１６に有効なダウンリンク資源割当を行う。このような資源割当は、複数の個別の資源割当メッセージに行われる。端末１１６は資源割当メッセージ各々をデコーディングした後、資源割当を習得するとともにメッセージのコンテンツを解析する。
【００６３】
単一資源割当を伝達するために単一資源割当メッセージを使用することと対照的に基地局１０２が単一資源割当を伝達するために複数の分離された資源割当メッセージ（共に読み解かれるように意味する）を使用するには色々な理由が存在する。一つの可能な状況はブラインドデコーディングのための場合、数を減少させるために小さくて制限された組の資源割当メッセージサイズだけ存在する場合である。このような場合に、大量の資源割当メッセージ（すなわち、大きい数の情報ビットを持つメッセージ）が資源割当を伝達するための多数の資源割当メッセージの使用を必要とする単一資源割当メッセージに固定されないこともある。これは同資源割当が多数の個別の資源割当メッセージに送信される例である。
【００６４】
資源割当メッセージは次のように、正確に一つの端末に向けてまたは端末グループに向けて指示されることに基づいて２つの類型に大別されることができる。その２つの類型はユニキャスト資源割当メッセージ及びマルチキャスト資源割当メッセージである。
【００６５】
ユニキャスト資源割当メッセージは基地局１０２によって制御される端末１１６などの単一端末に資源割当情報を伝達する基地局１０２により送信される資源割当メッセージである。ブラインドデコーディングのコンテクストでターゲット端末である端末１１６は、メッセージ（あるエラー確率を有する）をデコーディングして、成功的にデコーディングされたか否かを検出し、メッセージを読み解くことができる。端末１１１乃至端末１１５などのいくつかの他の端末は、メッセージデコーディングに失敗するはずで、メッセージは端末を意味しないと結論することである（またいくつかの偽り成功の確率を有する）。
ユニキャスト資源割当及びそれを伝達する対応メッセージは、次のようなことを伝達する資源割当の類型に基づいて複数の類型にさらに分類されることができる：
１）ダウンリンク／アップリンク割当が有効な特定時間持続を表示する１回ダウンリンク／アップリンク割当；
２）ダウンリンク／アップリンク割当が有効ないくつかの他の（普通はより長い）持続を表示する終わりのない割当；
３）基地局によって送信される情報に対する端末からダウンリンク上の端末への通知を行うように意味するアップリンク割当；など
また、さらに分類化が可能であるということに注目する。
【００６６】
マルチキャスト資源割当メッセージは、基地局１０２によって制御される端末１１１乃至端末１１６などの１個以上の端末に資源割当情報を伝達する基地局１０２によって送信される資源割当メッセージである。ここで、マルチキャスト資源割当メッセージによってターゲット組内の端末グループがセルで全端末の組であってもよく（この場合、マルチキャスト資源割当メッセージは普通広域資源割当メッセージという）、または端末グループは基地局１０２によって制御される全端末の組のあるサブセットであり得る（この場合、マルチキャスト資源割当メッセージは時々グループ資源割当メッセージという）。ブラインドデコーディングのコンテクストにおいて、ターゲット組で各端末はメッセージをデコーディングすることができ（あるエラー確率を有する）、端末がメッセージを成功的にデコーディングしたと検出することができ、メッセージ（またはあるコンベンションに基づいて適用するメッセージの部分）を読み解くことができる。ターゲットグループの一部でないいくつかの他の端末はメッセージデコーディングに失敗するはずで、メッセージは端末を意味しないと結論するはずである（またいくつかの偽り成功の確率を有する）。また、マルチキャストメッセージは複数以上の類型に分類されることができる。
【００６７】
本発明の実施形態は関数、すなわち単一または多数の端末に資源割当情報を伝達するか否かによってユニキャストまたはマルチキャストとしてメッセージを分類する。また、ある特定実施形態において、ユニキャストまたはマルチキャストとしてメッセージの定義を表すことができる。一例として、８０２．１６ｍ‐０９／００１０ｒ２、セクション１５．３．６．２．２．２，  「Ｐａｒｔ  １６‐Ａｉｒ  Ｉｎｔｅｒｆａｃｅ  ｆｏｒ  Ｆｉｘｅｄ  ａｎｄ  Ｍｏｂｉｌｅ  Ｂｒｏａｄｂａｎｄ  Ｗｉｒｅｌｅｓｓ  Ａｃｃｅｓｓ  Ｓｙｓｔｅｍｓ；  Ａｄｖａｎｃｅｄ  Ａｉｒ  Ｉｎｔｅｒｆａｃｅ  （ｗｏｒｋｉｎｇ  ｄｏｃｕｍｅｎｔ）」で資源割当メッセージは類型に分類されてメッセージの類型はメッセージ内のフィールドとして行われる。特に、単一モバイルにダウンリンク資源割当を伝達することを意味するメッセージ類型「ダウンリンクベーシック割当メッセージ」の定義がある。それはメッセージが８０２．１６ｍ‐０９／００１０ｒ２、セクション１５．３．６．２．２．２ｘ、「Ｐａｒｔ  １６‐Ａｉｒ  Ｉｎｔｅｒｆａｃｅ  ｆｉｒ  Ｆｉｘｅｄ  ａｎｄ  Ｍｏｂｉｌｅ  Ｂｒｏａｄｂａｎｄ  Ｗｉｒｅｌｅｓｓ  Ａｃｃｅｓｓ  Ｓｙｓｔｅｍｓ；Ａｄｖａｎｃｅｄ  Ａｉｒ  Ｉｎｔｅｒｆａｃｅ  （ｗｏｒｋｉｎｇ  ｄｏｃｕｍｅｎｔ）」で他の識別子類型によって識別されても本発明の実施形態の目的のためのユニキャストメッセージ（関数により）である。
【００６８】
前記詳細に説明されたようにブラインドデコーディングの短所はその資源割当を習得するために端末１１６はその全体で資源割当領域をデコーディングするように試みるということがある。本発明の実施例はその短所を緩和することを追求する。一部実施形態において、配列規則はある場合においてブラインドデコーディング動作の早期終了（すなわち、資源割当領域の終わりに到達する前の終了）が可能であるという点で各々の資源割当メッセージによって行われる端末のための他の資源割当が資源割当領域でどのように配列されるか否かを定義することに使われる。
【００６９】
次の実施形態において、各種資源割当（すなわち、それらを伝達する資源割当メッセージ）が資源割当領域で配列される順序であるメッセージ配列順序が使われる。図６に表した実施形態において、基地局１０２は報じられ、端末１１６は「資源割当領域の始め」、「資源割当領域の終わり」、及び「端末が成功的なブラインドデコーディング動作を試みる資源割当領域内の副搬送波の順序である領域の始めから領域の終わりまで指示する資源割当領域内の資源ブロックの方向」が通知されるかまたは認知する。また、資源割当領域は同サイズを有して同変調及びコーディング方式によって処理される資源割当メッセージに各々構成される副領域に分割され、副領域の詳細（サイズ、変調及びコーディング方式、及びメッセージの数の組合）は図５に関してここで上述されたように全端末に報じられる。
【００７０】
一部実施形態において、特定端末のためのユニキャスト資源割当メッセージの全部は資源割当領域の副領域の中にひとつだけ存在する。また、コンベンションはどんな副領域で端末を意味するユニキャスト資源割当メッセージ存在または部材に関する端末１１１〜１１６などのある端末に対して基地局１０２と明確に通信しない。
【００７１】
ここで、副領域はその全体が同サイズを有して同変調及びコーディング方式によって処理される資源割当メッセージを含んだ資源割当領域の部分の前に定義される。ユニキャストメッセージは１個の端末だけを意味し、その端末によるだけでデコーディングされるように意味される資源割当情報を含んだメッセージである。
【００７２】
端末１１６が特定副領域でユニキャストメッセージを成功的にデコーディングすると、端末１１６はある他の副領域で端末１１６のためのユニキャストメッセージが存在しないということがわかる。したがって、端末１１６を意味するユニキャストメッセージをデコーディングするように試みる時、端末１１６は資源割当領域で如何なる後続の（following）副領域であっても、ブラインドデコーディングするように試みる必要がない。
【００７３】
同変調及びコーディング方式によって処理されるため副領域で全資源割当メッセージは無線チャネル損傷に対する同レベルの保護を受けるということが注目される。端末を意味するユニキャストメッセージの全部は、同無線チャネルにあるのでメッセージ全部は同レベルの保護を提供する。
【００７４】
図６は資源割当領域ですべての資源割当メッセージがユニキャスト変化である、すなわちマルチキャスト割当が存在しない一例においてブラインドデコーディング処理６００を示す。
【００７５】
端末１１６には図５に示すように、ブラインドデコーディング処理５００が続く。しかし、ブロック５３０で資源割当メッセージで複合される情報を書き込んだ後にブロック５１０に戻されるより、端末１１６はブロック６０５でカウンタを増加させる。端末１１６は副領域カウンタで試みられたデコーディング数を「１」ずつ増加してＮ＿ｄｅｃｏｄｅ＝Ｎ＿ｄｅｃｏｄｅ＋１になる。その次に、端末１１６はブロック６１０で副領域でメッセージの数よりＮ＿ｄｅｃｏｄｅの方がより大きいか否か（すなわち、Ｎ＿ｄｅｃｏｄｅ＞Ｎ＿ｒ？）を決定する。Ｎ＿ｄｅｃｏｄｅ＞Ｎ＿ｒであれば、ブロック６１５で端末１１６はブラインドデコーディング動作を終了する。したがって、ブロック５２５で巡回冗長検査が成功した後に端末１１６は副領域の終わりまでデコーディングする（すなわち、端末１１６は後続の副領域をデコーディングしない）。Ｎ＿ｄｅｃｏｄｅ≦Ｎ＿ｒであれば、ブロック６２０で端末１１６はサイズＳ＿ｒの次のブロックを選択してＭＣＳ  Ｍ＿ｒを使用してデコーディング動作を試みる。端末１１６はブロック６２５でＣＲＣチェックを行ない、デコーディング動作が成功的か否かを決定する。ＣＲＣチェックが成功的でなければ、端末１１６はブロック６０５に戻り、副領域で試みられたデコーディングの数を「１」ずつ増加してＮ＿ｄｅｃｏｄｅ＝Ｎ＿ｄｅｃｏｄｅ＋１になる。ＣＲＣチェックが成功的であると端末１１６はブロック５３０でデコーディングされた資源割当メッセージに情報を書き込む。その後、端末１１６はブロック６０５に戻って副領域で試みられたデコーディングの数を「１」ずつ増加してＮ＿ｄｅｃｏｄｅ＝Ｎ＿ｄｅｃｏｄｅ＋１になる。端末１１６はブロック６１０で副領域でメッセージの数よりＮ＿ｄｅｃｏｄｅが大きくなるまで（すなわち、Ｎ＿ｄｅｃｏｄｅ＞Ｎ＿ｒ）処理を継続して；ブロック６１５で端末１１６はブラインドデコーディング演算を終了する。したがって、ブロック５２５で巡回冗長検査が成功した後に端末１１６は副領域の終わりまでデコーディングする（すなわち、端末１１６は後続の副領域をデコーディングしない）。
【００７６】
図７は、資源割当領域がこの明細書の実施形態によるマルチキャスト及びユニキャストメッセージすべてを含めることができる状況で端末によるブラインドデコーディング処理を示す。ブラインドデコーディング処理７００は、図示のためにだけ図７に示される。他の実施形態は、このような開示の範囲から外れることなく使用されることができる。
【００７７】
一部実施形態において、すべてのマルチキャスト資源割当メッセージは、存在すると全資源割当領域の始めから開始して可能な複数の副領域にかけて全資源割当領域の連続的な部分を占有する。従って、一つが資源ブロックインデックスを増加することにおいて始めから終わりまで資源割当領域を横切ると全マルチキャストメッセージは、それらが存在すると第１ユニキャストメッセージの占有前に占有する。
【００７８】
図６に示したブラインドデコーディング処理６００と類似に、図７に示したブラインドデコーディング処理７００のための記法は、端末らと明らかに通信しない。
【００７９】
ユニキャスト及びマルチキャストメッセージすべては、資源割当領域で占有することができる。ユニキャスト及びマルチキャストメッセージすべてが資源割当領域で占有する場合、端末１１６が副領域でユニキャスト資源割当メッセージをデコーディングすると、端末１１６は端末１１６を意味することがあるマルチキャストメッセージが既にインカウンタ（ｅｎｃｏｕｎｔｅｒ）され、端末１１６を意味する全ユニキャストメッセージが同副領域を占有することがわかる。したがって、端末１１６は、後続の副領域が端末１１６を意味することがあるメッセージを含まないことにより、現在の副領域の終わりに到達した後にブラインドデコーディングを終了することができる。
【００８０】
ブロック５０５で、端末１１６は資源割当領域の始めであるｒ＝１などの副領域を選択する。また、端末１１６は０と同等な副領域カウンタで試みられたデコーディングの数を設定する（例えば、Ｎ＿ｄｅｃｏｄｅ＝０）。ブロック５１０で端末１１６は、副領域で試みられたデコーディングの数を「１」ずつ増加してＮ＿ｄｅｃｏｄｅ＝Ｎ＿ｄｅｃｏｄｅ＋１になる。端末１１６はブロック５１５で副領域でのメッセージの数よりＮ＿ｄｅｃｏｄｅが大きいであるか否かを（すなわち、Ｎ＿ｄｅｃｏｄｅ＞Ｎ＿ｒ？）を決定する。
【００８１】
Ｎ＿ｄｅｃｏｄｅ≦Ｎ＿ｒであれば、ブロック５２０で端末１１６はサイズＳ＿ｒの次のブロックを選択してＭＣＳ  Ｍ＿ｒを使用してデコーディング動作を試みる。端末１１６はブロック５２５で巡回冗長検査チェックを行なうことでデコーディング動作が成功的か否かを決定する。ＣＲＣチェックが成功的でなければ、端末１１６はブロック５１０に戻って副領域カウンタで試みられたデコーディングの数を「１」ずつ増加してＮ＿ｄｅｃｏｄｅ＝Ｎ＿ｄｅｃｏｄｅ＋１になる。ＣＲＣチェックが成功的であれば、端末１１６はメッセージがブロック７０５でマルチキャストメッセージであるか否かを決定する。
【００８２】
メッセージがマルチキャストメッセージであると端末１１６はブロック７１０でデコーディングされたマルチキャスト資源割当メッセージにおいて端末１１６のために意図された情報を書き込む。その後、端末１１６はブロック５１０に戻って副領域で試みられたデコーディングの数を「１」ずつ増加してＮ＿ｄｅｃｏｄｅ＝Ｎ＿ｄｅｃｏｄｅ＋１になる。
【００８３】
メッセージがマルチキャストでなければ、端末１１６はブロック７１５でデコーディングされたユニキャスト資源割当メッセージにおいて情報を書き込む。その後、端末１１６はブラインドデコーディング処理６００を行うように図６中のブロック６０５で処理する。
【００８４】
ブラインドデコーディング処理７００の一部実施形態において全マルチキャスト資源割当メッセージは、特定副領域の始めから開始するある副領域の連続する部分を占有する。言い換えると、マルチキャスト及びユニキャストメッセージ両方を含むある資源割当副領域は、重複されない２個の部分にさらに分割されると考えられる。副領域の始めで開始する第１部分は、マルチキャストメッセージだけを含むが、副領域に連続する第１部分に続く第２部分はユニキャストメッセージだけを含む。ユニキャストメッセージは第１部分に存在しなく、マルチキャストメッセージは第２部分に存在しない。この実施形態はマルチキャスト及びユニキャストメッセージ両方を伝達する個の副領域にだけ適用して副領域に示す手順を定義するということが注目されるだろう。その副領域において、第１部分はここで「マルチキャスト副領域」と、第２部分はここで「ユニキャスト副領域」と称する。
【００８５】
ここで開示された実施形態において、副領域で使用される変調及びコーディング方式のロバスト性の降順で、すなわち副領域で使用される変調及びコーディング方式により提供される無線チャンネル損傷からの保護程度の降順で副領域の配列が可能である。言い換えると、最も強い変調及びコーディング方式を有する副領域が第１目であり、次の強い変調及びコーディング方式などがついてきて、最も弱い変調及びコーディング方式を有する最後副領域が示すように副領域を配列することができる。
【００８６】
さらに、最も強い変調及びコーディング方式は端末１１６に送信されるマルチキャストメッセージと比較して端末１１６にユニキャストメッセージを送信するために使用されない。言い換えると、端末１１６がマルチキャストメッセージのために特定変調及びコーディング方式によって提供される保護に耐えられえると、基地局１０２は同変調及びコーディング方式を使用して端末１１６へユニキャストメッセージを送信できるので同レベルの保護を提供する。それで、端末１１６を意味するユニキャスト資源割当メッセージは、端末１１６のためのマルチキャストメッセージより強い変調及びコーディング方式を使用しない。また、副領域の配列が使用され、端末１１６のための全マルチキャストメッセージは端末１１６のための第１ユニキャストメッセージ前に現れる。
【００８７】
図８は、この明細書の実施形態によってマルチキャスト及びユニキャスト資源割当メッセージ両方が資源割当領域に存在する端末による組合せブラインドデコーディング処理を図示する。図８に示すように、組合せブラインドデコーディング処理８００は、図示だけのためのものである。他の実施形態がこの明細書の範囲から外れることなく使用されることができる。
【００８８】
一部実施形態において、終了指示子（Ｅｎｄ  Ｉｎｄｉｃａｔｏｒ：ＥＩ）が使用される。副領域において端末１１６などの特定端末を意味するユニキャストと、副領域で連続して配列される端末１１６のために意図される全ユニキャストメッセージと、端末１１６のためのユニキャスト資源割当の特定類型にかかり、副領域内に存在すると常に副領域で端末１１６を意味するユニキャストメッセージのシーケンスで最後に占有する。ここで、この特定ユニキャスト資源割当メッセージ類型は終了指示子（ＥＩ）と称する。
【００８９】
基地局１０２が端末１１６に終了指示子類型の１個以上のメッセージを含む複数のユニキャスト資源割当メッセージを送信するとメッセージすべては最後である終了指示子類型のメッセージ（または１個以上である場合に終了指示子類型のメッセージのうち一つ）を有する副領域で連続的なブロックを占有する。
【００９０】
終了指示子類型の特定値は、基地局１０２と端末１１６との間の規約に基づいて適合（agree）されることがあり、端末１１６へ明らかに送信されないことがある。メッセージの「類型」は各種ユニキャスト資源割当メッセージの間の区別を許容するいくつかの識別子であってもよい。メッセージ類型がこれはメッセージの情報コンテンツの一部である場合を含む。例えば、メッセージ類型はメッセージにおいて情報ビットの始めのＸビットであってもよい。その続きにメッセージの成功的なデコーディングがされる際（例えば、巡回冗長検査成功）端末１１６はデコーディングされるメッセージ端末１１６の類型を決定するように始めのＸビットを確認することができ、その後に端末１１６はあるメッセージ類型に基づいてメッセージで情報ビットの残りを読み解くことができる。
【００９１】
端末１１６が終了指示子類型のユニキャストメッセージを成功的にデコーディングして副領域で次のユニキャストメッセージが端末１１６を意味しないと決定すると、端末１１６は副領域で端末１１６のためにユニキャストメッセージがさらに存在しないということがわかる。また、ブラインドデコーディング処理６００及びブラインドデコーディング処理７００が動作中であると、端末１１６はまたは端末１１６が後続の副領域のうち何れかにユニキャストメッセージを有していないこと、及び全マルチキャストメッセージが各々既にインカウンタされたことがわかる。それで、端末１１６はその副領域の終わりに到達しなくてもブラインドデコーディング動作を終了することができる。
【００９２】
図８はマルチキャスト及びユニキャスト資源割当メッセージ両方が資源割当領域で存在する組合せブラインドデコーディング処理８００の動作を図示する。
【００９３】
図７に示すように、端末１１６はブラインドデコーディング処理７００に従う。しかし、ブロック１１６がブロック７０５でメッセージがマルチキャストメッセージではないと決定すると、ブロック７１５でデコーディングされたユニキャスト資源割当メッセージに情報を書き込むより端末１１６はブロック８０５でカウンタを増加する。端末１１６は副領域カウンタで試みられたデコーディング数を「１」ずつ増加してＮ＿ｄｅｃｏｄｅ＝Ｎ＿ｄｅｃｏｄｅ＋１になる。その後に、端末１１６はブロック８１０で「Ｆａｌｓｅ」でＥＩ  Ｅｎｃｏｕｎｔｅｒｅｄ値を設定する。ブロック８１５で端末１１６はデコーディングされたユニキャスト資源割メッセージに情報を書き込む。その後、ブロック８２０で端末１１６は、メッセージが終了指示子類型メッセージであると決定する。メッセージが終了指示子類型であれば、端末１１６はブロック８２５でＴｒｕｅにＥＩ  Ｅｎｃｏｕｎｔｅｒｅｄ値を設定し、ブロック８３０でカウンタを増加させる。代案的に、メッセージが終了指示子類型でなければ、端末１１６はカウンタを増加させるためにブロック８３０に進行する。端末１１６は副領域カウンタで試みられたデコーディング数を「１」ずつ増加してＮ＿ｄｅｃｏｄｅ＝Ｎ＿ｄｅｃｏｄｅ＋１になる。
【００９４】
その次に、端末１１６はブロック８３５で副領域でメッセージの数よりＮ＿ｄｅｃｏｄｅの方かより大きいか否か（すなわち、Ｎ＿ｄｅｃｏｄｅ＞Ｎ＿ｒ？）を決定する。ブロック８３５でＮ＿ｄｅｃｏｄｅ＞Ｎ＿ｒであれば、端末１１６はブロック８４０でブラインドデコーディングを終了する。いくつかの後続の領域でユニキャストメッセージは読み解かされない。また全マルチキャストメッセージは既にインカウンタされている。また、終了指示子類型のメッセージすべては既にインカウンタされている。従って、端末１１６はブラインドデコーディング処理７００を終了することができる。
【００９５】
Ｎ＿ｄｅｃｏｄｅ≦Ｎ＿ｒであれば、ブロック８４５で端末１１６はサイズＳ＿ｒの次のブロックを選択してＭＣＳ  Ｍ＿ｒを使用してデコーディング動作を試みる。端末１１６はブロック８５０でＣＲＣチェックを行ないデコーディング動作が成功的か否かを決定する。ＣＲＣチェックが成功的であると端末１１６はブロック８１５でデコーディングされたユニキャストメッセージに情報を書き込むために戻る。ＣＲＣチェックが成功的でなければ、端末１１６はブロック８５５で終了指示子類型メッセージが検出されたか否かを決定、すなわちＥＩ  Ｅｎｃｏｕｎｔｅｒｅｄ値が「Ｔｒｕｅ」に設定されたか否かを設定する。終了指示子類型メッセージがインカウンタされないと、すなわち、ＥＩ  Ｅｎｃｏｕｎｔｅｒｅｄ値が「Ｆａｌｓｅ」に設定されると、端末１１６がブロック８１５でデコーディングされるとユニキャストメッセージに情報を書き込むために戻る。終了指示子類型メッセージがインカウンタされると、すなわち、ＥＩ  Ｅｎｃｏｕｎｔｅｒｅｄ値が「Ｆａｌｓｅ」に設定されると、端末１１６がブロック８６０でブラインドデコーディング処理を終了する。したがって、副領域でユニキャストメッセージ巡回冗長検査が成功的である後に端末１１６は副領域の終わりまでデコーディングして後続の副領域はデコーディングしない。追加的に、端末１１６のための全キャストメッセージは、連続的に配列されるので、そして終了指示子類型のメッセージは既にインカウンタされたので副領域で端末１１６のためのユニキャストメッセージはさらに存在することはない。
【００９６】
この明細書は、例示的な実施形態にかかって説明されたが各種変形及び修正が当業者に提案されることができる。この明細書は、添付の請求項の範囲内に入るようにその変形及び修正を含めていると意図される。
【符号の説明】
【００９７】
１０１  BS
１３０  IPネットワーク
【図１】
0005684803.tif 000002
【図２】
0005684803.tif 000003
【図３】
0005684803.tif 000004
【図４】
0005684803.tif 000005
【図５】
0005684803.tif 000006
【図６】
0005684803.tif 000007
【図７】
0005684803.tif 000008
【図８】
0005684803.tif 000009